(57)【特許請求の範囲】
【請求項１】
検出対象の温度を検出するための温度センサであって、
前記検出対象に当接して温度を検出する測温部と、
前記測温部を保持する第１の保持部と、
前記第１の保持部を保持すると共に、取付対象に取り付けられる第２の保持部と、
前記測温部が前記検出対象に向かって付勢されるように、前記第１の保持部と前記第２の保持部との間に設けた付勢部と、を備え、
前記第２の保持部は、前記付勢部の付勢方向以外の方向への前記第１の保持部の移動を規制する規制部を有し、
前記規制部が、互いの間に前記第１の保持部を挟み、前記付勢方向に沿って延在する一対のレール部から構成され、
前記第２の保持部は、前記一対のレール部の外側から前記取付対象に向かってそれぞれ突出された一対の可撓アーム部と、前記一対の可撓アーム部にそれぞれ設けられ、前記取付対象に係止する第１の係止部と、を有する
ことを特徴とする温度センサ。
【請求項２】
検出対象の温度を検出するための温度センサであって、
前記検出対象に当接して温度を検出する測温部と、
前記測温部を保持する第１の保持部と、
前記第１の保持部を保持すると共に、取付対象に取り付けられる第２の保持部と、
前記測温部が前記検出対象に向かって付勢されるように、前記第１の保持部と前記第２の保持部との間に設けた付勢部と、を備え、
前記第２の保持部は、前記付勢部の付勢方向以外の方向への前記第１の保持部の移動を規制する規制部を有し、
前記第１の保持部は、中空状に設けられ、前記測温部の一端を前記付勢方向と直交する方向から内部に挿入するための第１の開口と、前記測温部の一端と係止する第２の係止部と、前記測温部の他端を外部に露出するための第２の開口と、が設けられ、
前記第１の開口と前記第２の開口とが連通されている
ことを特徴とする温度センサ。
【請求項３】
前記第１の保持部は、前記付勢方向及び前記測温部の挿入方向の双方と直交する方向に前記測温部の端子又は端子に接続されたリード線を引き出すため第３の開口が設けられ、前記第１の開口と前記第３の開口が連通している
ことを特徴とする請求項２に記載の温度センサ。
【請求項４】
検出対象の温度を検出するための温度センサであって、
前記検出対象に当接して温度を検出する測温部と、
前記測温部を保持する第１の保持部と、
前記第１の保持部を保持すると共に、取付対象に取り付けられる第２の保持部と、
前記測温部が前記検出対象に向かって付勢されるように、前記第１の保持部と前記第２の保持部との間に設けた付勢部と、を備え、
前記第２の保持部は、前記付勢部の付勢方向以外の方向への前記第１の保持部の移動を規制する規制部を有し、
前記規制部が、互いの間に前記第１の保持部を挟み、前記付勢方向に沿って延在する一対のレール部から構成され、
前記第１の保持部は、中空状に設けられ、前記測温部の一端を前記付勢方向と直交する方向から内部に挿入するための第１の開口と、前記測温部の一端と係止する第２の係止部と、前記測温部の他端を外部に露出するための第２の開口と、が設けられ、前記第１の開口と前記第２の開口とが連通され、
前記第１の開口が前記レール部により塞がれている
ことを特徴とする温度センサ。
【発明の詳細な説明】
【技術分野】
【０００１】
本発明は、温度センサに係り、特に、検出対象の温度を検出するための温度センサに関するものである。
【背景技術】
【０００２】
従来から、ハイブリッド車や電気自動車などの車両に搭載されるバッテリは、高電圧を得るために複数のバッテリセルをバスバにより直列接続して構成している。このため、バッテリには、このバスバとバスバを収容する樹脂製のバスバ収容部とから構成されたバッテリモジュールが取り付けられている。また、このバッテリモジュールには、バッテリの過充電、過放電を防止するために、バッテリ（検出対象）の温度を検出する温度センサが取り付けられている。
【０００３】
このような温度センサとして、例えば、特許文献１に示すようなものが知られている。この温度センサは、バッテリの温度を検出するセンサ本体と、このセンサ本体を保持するハウジング部と、を備えている。このハウジング部に、バッテリモジュールのバスバ収容部に係止する弾性係止片が突設されている。
【先行技術文献】
【特許文献】
【０００４】
【特許文献１】特開２００９−２５０７６８号公報
【発明の概要】
【発明が解決しようとする課題】
【０００５】
上述した温度センサは、検出対象であるバッテリとは別体に設けたバッテリモジュールに取り付けられているため、振動によりバッテリモジュールがバッテリに対して動くと温度センサとバッテリとの距離が変化してしまう。この距離変化により温度センサの出力が変動してしまい、正確にバッテリの温度を検出することができない、という問題があった。
【０００６】
そこで、本発明は、正確に検出対象の温度を検出することができる温度センサを提供することを課題とする。
【課題を解決するための手段】
【０００７】
上述した課題を解決するためになされた請求項１記載の発明は、検出対象の温度を検出するための温度センサであって、前記検出対象に当接して温度を検出する測温部と、前記測温部を保持する第１の保持部と、前記第１の保持部を保持すると共に、取付対象に取り付けられる第２の保持部と、前記測温部が前記検出対象に向かって付勢されるように、前記第１の保持部と前記第２の保持部との間に設けた付勢部と、を備え、前記第２の保持部は、前記付勢部の付勢方向以外の方向への前記第１の保持部の移動を規制する規制部を有し、前記規制部が、互いの間に前記第１の保持部を挟み、前記付勢方向に沿って延在する一対のレール部から構成され、前記第２の保持部は、前記一対のレール部の外側から前記取付対象に向かってそれぞれ突出された一対の可撓アーム部と、前記一対の可撓アーム部にそれぞれ設けられ、前記取付対象に係止する第１の係止部と、を有する
ことを特徴とする温度センサに存する。
【０００８】
請求項２記載の発明は、検出対象の温度を検出するための温度センサであって、前記検出対象に当接して温度を検出する測温部と、前記測温部を保持する第１の保持部と、前記第１の保持部を保持すると共に、取付対象に取り付けられる第２の保持部と、前記測温部が前記検出対象に向かって付勢されるように、前記第１の保持部と前記第２の保持部との間に設けた付勢部と、を備え、前記第２の保持部は、前記付勢部の付勢方向以外の方向への前記第１の保持部の移動を規制する規制部を有し、前記第１の保持部は、中空状に設けられ、前記測温部の一端を前記付勢方向と直交する方向から内部に挿入するための第１の開口と、前記測温部の一端と係止する第２の係止部と、前記測温部の他端を外部に露出するための第２の開口と、が設けられ、前記第１の開口と前記第２の開口とが連通されていることを特徴とする温度センサに存する。
【０００９】
請求項３記載の発明は、前記第１の保持部は、前記付勢方向及び前記測温部の挿入方向の双方と直交する方向に前記測温部の端子又は端子に接続されたリード線を引き出すため第３の開口が設けられ、前記第１の開口と前記第３の開口が連通していることを特徴とする請求項２に記載の温度センサに存する。
【００１０】
請求項４記載の発明は、検出対象の温度を検出するための温度センサであって、前記検出対象に当接して温度を検出する測温部と、前記測温部を保持する第１の保持部と、前記第１の保持部を保持すると共に、取付対象に取り付けられる第２の保持部と、前記測温部が前記検出対象に向かって付勢されるように、前記第１の保持部と前記第２の保持部との間に設けた付勢部と、を備え、前記第２の保持部は、前記付勢部の付勢方向以外の方向への前記第１の保持部の移動を規制する規制部を有し、前記規制部が、互いの間に前記第１の保持部を挟み、前記付勢方向に沿って延在する一対のレール部から構成され、前記第１の保持部は、中空状に設けられ、前記測温部の一端を前記付勢方向と直交する方向から内部に挿入するための第１の開口と、前記測温部の一端と係止する第２の係止部と、前記測温部の他端を外部に露出するための第２の開口と、が設けられ、前記第１の開口と前記第２の開口とが連通され、前記第１の開口が前記レール部により塞がれていることを特徴とする温度センサに存する。
【発明の効果】
【００１２】
以上説明したように請求項１記載の発明によれば、付勢部によって測温部を保持する第１の保持部が検出対象に向かって付勢されているので、振動などにより測温部と検出対象との距離が変動することがない。また、規制部により第１の保持部の付勢方向以外の方向への移動が規制されるので、測温部が付勢方向に対して傾いて検出対象に当接することもないので、正確に検出対象の温度を検出することができる。
【００１３】
請求項１記載の発明によれば、第１の保持部を一対のレール部で挟むだけの簡単な構成で第１の保持部の移動を規制することができる。しかも、一対の可撓アーム部の先端を互いに近づければ、取付対象と可撓アーム部に設けた第１の係止部との係止を簡単に解除することができるため、容易に温度センサを交換できる。
【００１４】
請求項２記載の発明によれば、第１の保持部を一対のレール部で挟むだけの簡単な構成で第１の保持部の移動を規制することができる。しかも、一対の可撓アーム部の先端を互いに近づければ、取付対象と可撓アーム部に設けた第１の係止部との係止を簡単に解除することができるため、容易に温度センサを交換できる。
【００１５】
請求項３記載の発明によれば、第１の開口と第３の開口とが連通しているため、第３の開口から端子又はリード線を引き出した状態で、測温部の一端を第１の開口から第１の保持部内に挿入し、第２の係止部により係止できる。これにより、第１の保持部内に測温部をインサート成形しなくても、付勢方向及び測温部の挿入方向の双方と直交する方向に測温部の端子を引き出すことができる。
【００１６】
請求項４記載の発明によれば、第１の開口がレール部により塞がれているので、レール部と第１の開口を塞ぐ部材とを別々に設ける必要がないため、部品点数が削減できコストダウンを図ることができる。
【図面の簡単な説明】
【００１７】
【図１】第１実施形態における本発明の温度センサを示す斜視図である。
【図２】（Ａ）は図１に示す温度センサの分解斜視図であり、（Ｂ）は（Ａ）に示す測温部の分解斜視図である。
【図３】図１に示す温度センサをバッテリモジュールに取り付けた状態を示す斜視図である。
【図４】図３のＩ−Ｉ断面斜視図である。
【図５】図３のＩ−Ｉ線断面図である。
【図６】第２実施形態における本発明の温度センサを示す斜視図である。
【図７】図６に示す温度センサの分解斜視図である。
【図８】図６に示す温度センサを構成する測温部及び保持部の斜視図である。
【図９】図８のＩＩ−ＩＩ線断面図である。
【図１０】図６に示すバッテリモジュールに取り付けた状態を示す斜視図である。
【図１１】図１０のＩＩＩ−ＩＩＩ断面図である。
【発明を実施するための形態】
【００１８】
（第１実施形態）
以下、第１実施形態における本発明の温度センサについて図１〜図５を参照して説明する。この温度センサは、車両に搭載されたバッテリ（＝検出対象）の温度を検出するためのものである。バッテリは、高電圧を得るために複数のバッテリセルをバスバにより直列接続して構成している。このため、バッテリの電極側には、複数のバスバとバスバを収容する樹脂製のバスバ収容部とから構成されたバッテリモジュール（＝取付対象）が取り付けられている。上記温度センサは、このバッテリモジュール（詳しくはバッテリモジュールのバスバ収容部）に取り付けられている。
【００１９】
図１〜図５に示すように、温度センサ１は、バッテリに当接して温度を検出する測温部２と、測温部２を保持する樹脂製の保持部３（＝第１の保持部）と、保持部３を保持すると共に、バッテリモジュール１００に取り付けられる樹脂製の保持カバー４（＝第２の保持部）と、測温部２がバッテリに向かって付勢されるように、保持カバー４と保持部３との間に設けたバネ５（＝付勢部）と、を備えている。
【００２０】
測温部２は、図２（Ｂ）に示すように、温度を検出するサーミスタ２１と、サーミスタ２１を収容し、バッテリからの熱をサーミスタ２１に伝える伝熱ケース２２と、を有している。
【００２１】
サーミスタ２１は、本体部２１Ａと、この本体部２１Ａから突出した一対の端子２１Ｂと、を有している。一対の端子２１Ｂはそれぞれ、先端部が一対の端子２１Ｂの並び方向（本実施形態では後述する挟み方向Ｙ２）に沿うように略９０度に曲げられている。また、一対の端子２１Ｂの先端部がバネ５の付勢方向Ｙ１に沿って並べられるように、本体部２１Ａからの高さが異なる位置でそれぞれ曲げられている。
【００２２】
伝熱ケース２２は、金属製であり、楕円筒状の側壁２２Ａと、側壁２２Ａに連なる底壁２２Ｂと、側壁２２Ａの開口２２Ｃ側の端部から楕円の長手方向（本実施形態では後述する挟み方向Ｙ２）に向かって突出するフランジ２２Ｄと、から構成されている。
【００２３】
サーミスタ２１の本体部２１Ａは、伝熱ケース２２の開口２２Ｃから内部に挿入され、サーミスタ２１の端子２１Ｂは、伝熱ケース２２の開口２２Ｃから外部に突出している。伝熱ケース２２内には例えばエポキシなどの樹脂が充填され、これにより伝熱ケース２２内にサーミスタ２１が固定される。
【００２４】
保持部３は、図１に示すように、後述する保持カバー４から突出された一対のレール部４２に挟まれている。保持部３は、この一対のレール部４２に摺接しながらバネ５の付勢方向Ｙ１に移動可能に、保持カバー４に保持されている。なお、本実施形態では、付勢方向Ｙ１は上下方向に沿っている。
【００２５】
保持部３は、略箱型に設けられ、図２及び図４に示すように、上述した測温部２の一部を内部に保持するようにインサート成形している。詳しくは、伝熱ケース２２のフランジ２２Ｄ側の一端が保持部３内に保持され、伝熱ケース２２の底壁２２Ｂ側の他端が保持部３の底面からバッテリに向かって突出して、外部に露出している。また、サーミスタ２１の一対の端子２１Ｂの先端が、一対のレール部４２に挟まれた保持部３の側面の一方から突出して、露出している。
【００２６】
この外部に露出した一対の端子２１Ｂの先端はそれぞれ、半田などによりリード線６に接続され、リード線６との接続部が絶縁チューブ７により覆われている。また、保持部３の上面には、一対のレール部４２の挟み方向Ｙ２と直交する直交方向Ｙ３に沿った溝３１と、この溝３１の底面から保持カバー４に向かって突設されたバネ取付部３２と、が設けられている。バネ取付部３２は、円形の柱状に設けられ、バネ５の一端が嵌め込まれて固定される。
【００２７】
また、図２に示すように、保持部３において一対のレール部４２に挟まれた側面からはそれぞれ、凸部３３が突設されている。この凸部３３は、レール部４２に設けた付勢方向Ｙ１に沿ったレールスリット４５に挿入される。本実施形態では、凸部３３は、保持部３の側面のバッテリから離れた側の端部に設けられている。
【００２８】
また、図２に示すように、この凸部３３と上記一対の端子２１Ｂ先端の保持部３外への突出口とは付勢方向Ｙ１に沿って並べて設けられている。これにより、保持部３外に露出した一対の端子２１Ｂがレールスリット４５内に挿入され、一対の端子２１Ｂと保持カバー４とが干渉することがない。また、保持部３の底面の４隅には、後述する保持カバー４の保持部係止爪４６が係止される凹部３４が設けられている。
【００２９】
保持カバー４は、上壁４１と、上壁４１の挟み方向Ｙ２の両端から保持部３に向かって突出する一対のレール部４２（＝規制部）と、一対のレール部４２の外側からバッテリモジュール１００に向かってそれぞれ突出された一対の羽部４３（＝可撓アーム部）と、一対の羽部４３にそれぞれ設けられ、バッテリモジュール１００に係止するモジュール係止爪４４（＝第１の係止部）と、を有している。
【００３０】
上壁４１は、挟み方向Ｙ２が長尺の矩形の板状に設けられている。この上壁４１の略中央には、保持部３に向かって突出されたバネ取付部４１Ａが設けられている。バネ取付部４１Ａは、円形の柱状に設けられ、バネ５の他端が嵌め込まれて固定されている。
【００３１】
一対のレール部４２は、互の間に保持部３を挟み、付勢方向Ｙ１に沿って延在している。また、一対のレール部４２には、付勢方向Ｙ１に沿ったレールスリット４５と、保持部３の凹部３４に係止する保持部係止爪４６と、が設けられている。
【００３２】
このレールスリット４５は、一対のレール部４２において付勢方向Ｙ１のバッテリ側の端部まで延在して設けられる。保持部係止爪４６は、一対のレール部４２の付勢方向Ｙ１のバッテリ側の端部から内側に向かって突出して設けられている。また、保持部係止爪４６は、レールスリット４５を挟んで直交方向Ｙ３の両側に設けられている。
【００３３】
一対の羽部４３は、バッテリモジュール１００に近づくに従って互いに離れるように斜めに設けられ、先端側が挟み方向Ｙ２に可撓に設けられている。一対の羽部４３にも、付勢方向Ｙ１に沿った羽部スリット４７が設けられている。この羽部スリット４７は、挟み方向Ｙ２においてレールスリット４５と対向するように設けられ、モジュール係止爪４４から付勢方向Ｙ１のバッテリ側の端部まで延在して設けられている。保持部３と保持カバー４とが近づいても、この羽部スリット４７に保持部３外部に露出した一対の端子２１Ｂが挿入されるため、一対の端子２１Ｂと保持カバー４とが干渉することがない。モジュール係止爪４４は、挟み方向Ｙ２の外側に向かって突出され、図３及び図４に示すように、バッテリモジュール１００の係止凸部１０４に係止される。
【００３４】
次に、上述した温度センサ１の組立について説明する。まず、インサート成形により、測温部２を保持した状態の保持部３を成形する。その後、保持部３を保持部係止爪４６側から一対のレール部４２間に挿入する。このとき、レールスリット４５のバッテリ側の開口から保持部３の凸部３３を挿入させる。その後、バネ５を保持部３と保持カバー４との間に挟んだ状態で保持部３と保持カバー４とを近づけて、保持部３の凹部３４にレール部４２先端に設けた保持部係止爪４６を係止させる。
【００３５】
次に、上述した温度センサ１が取り付けられるバッテリモジュール１００について説明する。バッテリモジュール１００は、バッテリの電極が突設された上面に重ねられる上壁１０１と、上壁１０１を貫通する温度センサ１を取り付けるための略矩形状の貫通穴１０２（図４、図５）と、が設けられている。貫通穴１０２は、温度センサ１の保持部３底面から突出している測温部２を通し、かつ、保持カバー４を通すことができない大きさに設けられている。これにより、温度センサ１の保持カバー４が貫通穴１０２の周縁によって支持されるとともに、図５に示すように、この貫通穴１０２を通って測温部２が突出してその底壁２２Ｂがバッテリの上面２００に当接される。
【００３６】
また、貫通穴１０２の縁部から直交方向Ｙ３に対向する一対の取付壁１０３が立設されている。この一対の取付壁１０３間の付勢方向Ｙ１のバッテリから離れた側や挟み方向Ｙ２両側は開口されている。また、取付壁１０３には、保持カバー４のモジュール係止爪４４に係止される係止凸部１０４が設けられている。係止凸部１０４は、取付壁１０３の挟み方向Ｙ２の両端、かつ、付勢方向Ｙ１のバッテリから離れた側の端部に設けられている。この一対の取付壁１０３間の付勢方向Ｙ１のバッテリから離れた側の開口から温度センサ１を挿入すると、温度センサ１のモジュール係止爪４４とバッテリモジュール１００の係止凸部１０４とが係止され、温度センサ１が一対の取付壁１０３から抜けることがない。
【００３７】
また、温度センサ１のモジュール係止爪４４とバッテリモジュール１００の係止凸部１０４とが係止されると、測温部２の底壁２２Ｂがバッテリに当接され、保持部３が保持カバー４の保持部係止爪４６と係止する位置よりもバッテリから離れた側に移動する。これにより、バネ５が縮み、測温部２がバッテリに向かって付勢される。
【００３８】
上述した温度センサ１によれば、バネ５によって測温部２を保持する保持部３がバッテリに向かって付勢されているので、振動などにより測温部２とバッテリとの距離が変動することがない。詳しく説明すると、振動などによりバッテリモジュール１００がバッテリから離れる方向に変位しても、バネ５により保持部３がバッテリに向かって付勢されているため、保持部３がバッテリに近づく方向に変位し、距離が変わることがない。しかも、一対のレール部４２により保持部３の付勢方向Ｙ１以外の方向への移動が規制される。詳しく説明すると、保持部３の側面は一対のレール部４２に挟まれているため、挟み方向Ｙ２の移動が規制され、保持部３の凸部３３がレールスリット４５に挿入されているため、直交方向Ｙ３の移動も規制されている。これにより、測温部２が付勢方向Ｙ１に対して傾いてバッテリに当接することもないので、正確にバッテリの温度を検出することができる。
【００３９】
また、上述した温度センサ１によれば、保持部３を一対のレール部４２で挟むだけの簡単な構成で保持部３の移動を規制することができる。しかも、一対の羽部４３の先端を互いに近づければ、バッテリモジュール１００の係止凸部１０４とモジュール係止爪４４との係止を簡単に解除することができるため、容易に温度センサ１を交換できる。
【００４０】
（第２実施形態）
次に、第２実施形態における本発明の温度センサについて図６〜図１１を参照して説明する。この温度センサは、第１実施形態と同様にバッテリの温度を検出するためのものであり、バッテリモジュールに取り付けられている。
【００４１】
図６〜図１１に示すように、温度センサ１１は、第１実施形態と同様に、測温部１２と、保持部１３（＝第１の保持部）と、保持カバー１４（＝第２の保持部）と、バネ１５（＝付勢部）と、を備えている。測温部１２は、第１実施形態と同様に、サーミスタ１２１と、伝熱ケース１２２と、を有している。
【００４２】
サーミスタ１２１は、第１実施形態と同様に、図７に示すように、本体部１２１Ａと、本体部１２１Ａから突出した一対の端子１２１Ｂと、を有している。第２実施形態では、一対の端子１２１Ｂは曲げられておらずまっすぐに突出している。そして、一対の端子１２１Ｂの先端には、リード線１６が接続されている。
【００４３】
伝熱ケース１２２は、円形筒状の側壁１２２Ａと、側壁１２２Ａに連なる底壁１２２Ｂと、側壁１２２Ａの開口１２２Ｃ側の端部から突出するフランジ１２２Ｄと、から構成されている。第２実施形態では、フランジ１２２Ｄは、側壁１２２Ａ端部において開口１２２Ｃの全縁部から突出するように設けられている。
【００４４】
サーミスタ１２１の本体部１２１Ａは、伝熱ケース１２２の開口１２２Ｃから内部に挿入され、サーミスタ１２１の端子１２１Ｂは、伝熱ケース１２２の開口１２２Ｃから外部に突出している。伝熱ケース１２２内には例えばエポキシなどの樹脂が充填され、これにより伝熱ケース１２２にサーミスタ１２１が固定される。
【００４５】
保持部１３は、後述する保持カバー１４から突出された一対のレール部１４２に挟まれている。保持部１３は、この一対のレール部１４２に摺接しながらバネ１５の付勢方向Ｙ１に移動可能に、保持カバー１４に保持されている。
【００４６】
保持部１３は、中空状の略箱型に設けられている。保持部１３は、矩形状の上壁１３１と、上壁１３１において直交方向Ｙ３両側の縁部から付勢方向Ｙ１のバッテリ側に向かって立設された一対の側壁１３２、１３３と、上壁１３１において挟み方向Ｙ２の一方側（図面左側）の縁部から付勢方向Ｙ１のバッテリ側に向かって突設された側壁１３４と、から構成されている。
【００４７】
上壁１３１には、保持カバー１４に向かって突出する円柱状のバネ取付部１３１Ａが設けられている。この上壁１３１からは、上述したように３つの側壁１３２、１３３、１３４が立設され、上壁１３１において挟み方向Ｙ２の他方側（図面右側）の縁部からは側壁が立設されていない。また、保持部１３には、底壁も設けられていない。これにより、保持部１３には、測温部１２のフランジ１２２Ｄ側の一端を付勢方向Ｙ１と直交する方向（本実施形態では挟み方向Ｙ２）から内部に挿入するための第１の開口Ｏ１と、測温部１２の底壁１２２Ｂ側の一端を外部に露出するための第２の開口Ｏ２が設けられ、第１の開口Ｏ１と第２開口Ｏ２とが連通されている。即ち、第２実施形態においては、測温部２の挿入方向が、挟み方向Ｙ２になっている。
【００４８】
また、一対の側壁１３２、１３３及び側壁１３４の内側面にはそれぞれ、測温部１２のフランジ１２２Ｄを嵌め込んで係止する係止溝１３５（＝第２の係止部）が設けられている。図７及び図９に示すように、一対の側壁１３２、１３３に設けられた係止溝１３５は、挟み方向Ｙ２に沿って設けられ、一対の側壁１３２、１３３の挟み方向Ｙ２の両端まで延在されている。また、側壁１３４に設けられた係止溝１３５は直交方向Ｙ３に沿って延在され、両端が一対の側壁１３２、１３３に設けられた係止溝１３５に連なっている。
【００４９】
また、図７などに示すように、一対の側壁１３２、１３３の挟み方向Ｙ２他方側の端面において直交方向Ｙ３の両端から一対の凸部１３６が設けられている。一対の凸部１３６は、付勢方向Ｙ１に沿って延在し、この一対の凸部１３６間にレール部１４２の直交方向Ｙ３両側が挟まれる。第２実施形態では、この一対の凸部１３６間にレール部１４２を挟むことにより、保持部１３の直交方向Ｙ３の移動が規制される。
【００５０】
また、図６に示すように、側壁１３２には、上記端子１２１Ｂに接続されたリード線１６を付勢方向Ｙ１及び挟み方向Ｙ２の双方と直交する直交方向Ｙ３に引き出す第３の開口Ｏ３が設けられている。第３の開口Ｏ３は、側壁１３２の挟み方向Ｙ２他方側の端部まで延在され、第１の開口Ｏ１と連通している。
【００５１】
また、一対の側壁１３２、１３３の付勢方向Ｙ１バッテリ側の端部かつ挟み方向Ｙ２他方側にはそれぞれ保持カバー１４の保持部係止爪１４６が係止される凹部１３７が設けられている。側壁１３４の付勢方向Ｙ１バッテリ側の端部にも、保持カバー１４の保持部係止爪１４６が係止される凹部１３７が設けられている。側壁１３４に設けた凹部１３７は、直交方向Ｙ３に沿って延在して設けられている。
【００５２】
保持カバー１４は、上壁１４１と、上壁１４１の挟み方向Ｙ２の両端から保持部１３に向かって突出する一対のレール部１４２（＝規制部材）と、一対のレール部１４２の外側からバッテリモジュール２００に向かってそれぞれ突出された一対の羽部１４３（＝可撓アーム部）と、一対の羽部１４３にそれぞれ設けられ、バッテリモジュール２００に係止するモジュール係止爪１４４（＝第１の係止部）と、を有している。
【００５３】
上壁１４１は、挟み方向Ｙ２が長尺の矩形の板状に設けられている。この上壁１４１の中央には、保持部１３に向かって突出されたバネ取付部１４１Ａが設けられている。バネ取付部１４１Ａは、円形の柱状に設けられ、バネ１５の他端が嵌め込まれて固定されている。
【００５４】
一対のレール部１４２は、互の間に保持部１３を挟み、付勢方向Ｙ１に沿って延在している。この対のレール部１４２には、第１実施形態と同様に、保持部１３の凹部１３７に係止する保持部係止爪１４６と、が設けられているが、レールスリットは設けられていない。
【００５５】
一対の羽部１４３は、バッテリモジュール２００に近づくに従って互いに離れるように斜めに設けられ、先端側が挟み方向Ｙ２に可撓に設けられている。第１実施形態の一対の羽部１４３は、第１実施形態と異なり、羽部スリットは設けられていない。モジュール係止爪１４４は、挟み方向Ｙ２の外側に向かって突出され、バッテリモジュール２００の係止部２０４に係止される。
【００５６】
次に、上述した温度センサ１１の組立について説明する。まず、図７に示すように、伝熱ケース１２２に固定されたサーミスタ１２１の端子１２１Ｂ先端に、かしめなどによりリード線１６を接続しておく。その後、保持部１３の第１の開口Ｏ１から測温部１２のフランジ１２２Ｄ側の一端を内部に挿入する。このとき、フランジ１２２Ｄを係止溝１３５に嵌め込む。フランジ１２２Ｄを係止溝１３５に嵌め込むと測温部１２の底壁１２２Ｂ側の他端が第２の開口Ｏ２から突出する。リード線１６は、第３の開口Ｏ３の挟み方向Ｙ２他方側の端部から挿入されて、第３の開口Ｏ３から引き出される。測温部１２は、図９に示すように、フランジ１２２Ｄが保持部１３の側壁１３４に設けた係止溝１３５に嵌め込まれるまで側壁１３４に向かって挿入される。
【００５７】
その後、保持部１３を保持部係止爪１４６側から一対のレール部１４２間に挿入する。その後、バネ１５を保持部１３と保持カバー１４との間に挟んだ状態で保持部１３と保持カバー１４とを近づけて、保持部１３の凹部１３７にレール部１４２先端に設けた保持部係止爪１４６を係止させる。このとき、第１の開口Ｏ１は一対のレール部１４２により塞がれる。
【００５８】
次に、上述した温度センサ１１が取り付けられるバッテリモジュール２００について説明する。バッテリモジュール２００は、バッテリの電極が突設された上面に重ねられる上壁２０１と、上壁２０１を貫通する温度センサ１１を取り付けるための略矩形状の貫通穴２０２と、が設けられている。貫通穴２０２は、温度センサ１１の保持部１３底面から突出している測温部１２を通し、かつ、保持カバー１４を通すことができない大きさに設けられている。これにより、温度センサ１の保持カバー１４が貫通穴２０２の周縁によって支持されるとともに、この貫通穴２０２を通って測温部２が突出してバッテリの上面に当接される。
【００５９】
また、貫通穴２０２の直交方向Ｙ３に対向する一対の縁部からそれぞれ取付壁２０３が立設されている。この一対の取付壁２０３間の付勢方向Ｙ１のバッテリから離れた側や挟み方向Ｙ２両側は開口されている。また、第２実施形態では、一対の取付壁２０３間には、保持カバー１４のモジュール係止爪１４４に係止される係止部２０４が設けられている。係止部２０４は、一対の取付壁２０３の挟み方向Ｙ２の両端、かつ、付勢方向Ｙ１のバッテリから離れた側の端部同士を連結するように設けられている。この一対の取付壁２０３間の付勢方向Ｙ１のバッテリから離れた側の開口から温度センサ１１を挿入すると、温度センサ１１のモジュール係止爪１４４とバッテリモジュール２００の係止部２０４とが係止され、温度センサ１１が一対の取付壁２０３から抜けることがない。
【００６０】
また、温度センサ１１のモジュール係止爪１４４とバッテリモジュール２００の係止部２０４とが係止されると、測温部１２がバッテリに当接され、保持部１３が保持カバー１４の保持部係止爪１４６と係止する位置よりもバッテリから離れた側に移動する。これにより、バネ１５が縮み、測温部１２がバッテリに向かって付勢される。
【００６１】
上述した第２実施形態の温度センサ１１によれば、第１の開口Ｏ１と第２の開口Ｏ２とが連通しているため、測温部１２の底壁１２２Ｂ側の他端を第２の開口Ｏ２から露出させた状態で、測温部１２のフランジ１２２Ｄ側の一端を第１の開口Ｏ１から保持部１３内に挿入し、係止溝１３５により係止できる。これにより、第１実施形態のように保持部３内に測温部２をインサート成形しなくても、簡単に測温部１２を保持部１３に保持できるため、コストダウンを図ることができる。
【００６２】
また、上述した第２実施形態の温度センサ１１によれば、第１の開口Ｏ１と第３の開口Ｏ３とが連通しているため、第３の開口Ｏ３からリード線１６を引き出した状態で、測温部１２の一端を第１の開口Ｏ１から保持部１３内に挿入し、係止溝１３５により係止できる。これにより付勢方向Ｙ１及び測温部１２の挿入方向である挟み方向Ｙ２の双方と直交する直交方向Ｙ３にリード線１６を引き出すことができる。
【００６３】
また、上述した第２実施形態の温度センサ１１によれば、第１の開口Ｏ１がレール部１４２により塞がれているので、レール部１４２と第１の開口Ｏ１を塞ぐ部材とを別々に設ける必要がないため、部品点数が削減できコストダウンを図ることができる。
【００６４】
上述した第２実施形態によれば、第３の開口Ｏ３からリード線１６を突出させていたが、第１実施形態と同様に、端子１２１Ｂを突出させるようにしてもよい。また、リード線１６を保持部１３の直交方向Ｙ３から突出させていたが、第１実施形態と同様に、レール部１４２と羽部１４３にスリットを設け、保持部１３の挟み方向Ｙ２他方側に設けた第１の開口Ｏ１から突出させるようにしてもよい。
【００６５】
また、上述した第１及び第２の実施形態によれば、付勢部としてコイル状のバネ５、１５を用いていたが、これに限ったものではない。付勢部としては、測温部２、１２がバッテリに向かって付勢されるように、保持部３、１３と保持カバー４、１４との間に設けられるものであればよく、他に板バネや付勢方向Ｙ１に伸縮自在に設けられたゴム部材などから構成されていてもよい。
【００６６】
また、上述した第１及び第２実施形態によれば、規制部としては一対のレール部４２、１４２から構成していたが、これに限ったものではない。規制部としては、バネ５、１５の付勢方向Ｙ１以外の方向への保持部３、１３の移動を規制するものであればよく、例えば、上壁４１、１４１の全周縁から突設し、内部に保持部３、１３を嵌め込むことができる筒状に設けても良い。
【００６７】
また、上述した第１及び第２実施形態によれば、保持カバー４、１４においては、レール部４２、１４２から突出された羽部４３、１４３に設けたモジュール係止爪４４、１４４をバッテリモジュール１００、２００に係止させていたが、これに限ったものではない。例えば、保持カバー４、１４の上壁４１、１４１に直交方向Ｙ３に突出する係止凸部を設け、この係止凸部をバッテリモジュール１００、１０２に係止させるようにしてもよい。
【００６８】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００６９】
１、１１  温度センサ
２、１２  測温部
３、１３  保持部（第１の保持部）
４、１４  保持カバー（第２の保持部）
５、１５  バネ
６、１６  リード線
２１Ｂ、１２１Ｂ  端子
４２、１４２  レール部（規制部）
４３、１４３  羽部（一対の可撓アーム部）
４４、１４４  モジュール係止爪（第１の係止部）
１３５  係止溝（第２の係止部）
１００、２００  バッテリモジュール（取付対象）
Ｏ１  第１の開口
Ｏ２  第２の開口
Ｏ３  第３の開口
Ｙ１  付勢方向
Ｙ２  挟み方向（挿入方向）
Ｙ３  直交方向（付勢方向及び測温部の挿入方向の双方と直交する方向）
【図１】
0006322092.tif 000002
【図２】
0006322092.tif 000003
【図３】
0006322092.tif 000004
【図４】
0006322092.tif 000005
【図５】
0006322092.tif 000006
【図６】
0006322092.tif 000007
【図７】
0006322092.tif 000008
【図８】
0006322092.tif 000009
【図９】
0006322092.tif 000010
【図１０】
0006322092.tif 000011
【図１１】
0006322092.tif 000012